(57)【要約】【課題】ビリヤードゲームのプレーの迫真性を増し、プレーヤが模擬キューを撞き出す際に、模擬キューの方向を意のままに調節しているという感覚をもてるようにすること。【解決手段】ゲーム画像を表示する画面9aをもつ表示装置９と、プレーヤの操作を入力して操作信号とする操作手段32、36、40、41，44、45と、前記操作信号に応じて三次元仮想空間内におけるビリヤードゲームを進行するビリヤードゲーム装置において、模擬キュー19を前後に移動自在に支持するキュー支持ローラ32を有する模擬ブリッジ11が、模擬ビリヤードテーブル７上に設けられ、模擬ブリッジ11は前後左右に移動自在とされる。模擬ブリッジ11の前後左右移動量が模擬ブリッジ移動量検出手段44，45により検出され、その検出信号等に対応して、画面9aにキューオブジェクトが表示される。【選択図】  図４
2005205235.tif 000002
【特許請求の範囲】
【請求項１】
ゲーム画像を表示する表示装置と、プレーヤの操作を入力して操作信号とする操作手段と、前記操作信号に応じて三次元仮想空間内におけるビリヤードゲームを進行するビリヤードゲーム装置において、
模擬キューを前後に移動自在に支持する模擬ブリッジが、模擬ビリヤードテーブル上で前後左右へ移動自在に設けられたことを特徴とするビリヤードゲーム装置。
【請求項２】
前記模擬ビリヤードテーブル上の模擬ブリッジの前後左右移動量を検出する模擬ブリッジ移動量検出手段と、
該模擬ブリッジ移動量検出手段の検出信号に対応して、前記表示装置の画面に表示されるキューオブジェクトの先端が、前記表示装置の画面に表示される手球オブジェクトに当接する位置を表示する手球撞き位置表示手段と、
該手球オブジェクトの撞き位置に応じて該手球オブジェクトの移動方向を決定するとともに、撞き速度に応じてその移動速度を決定して表示する手球表示手段とを備えたことを特徴とする請求項１記載のビリヤードゲーム装置。
【請求項３】
前記表示装置の画面上に表示されたキューオブジェクトの撞き方向に位置した的球オブジェクトの周囲にて、該的球オブジェクトをポケットするために該手球オブジェクトを当てるべき位置を示すイマジナリ球オブジェクトが表示されることを特徴とする請求項２記載のビリヤードゲーム装置。
【請求項４】
前記的球オブジェクトに該手球オブジェクトを当てることでポケットできる場合に、該イマジナリ球オブジェクトが表示されることを特徴とする請求項３記載のビリヤードゲーム装置。
【請求項５】
前記的球オブジェクトが最後の１つの場合には、前記イマジナリ球オブジェクトが表示されないことを特徴とする請求項３または請求項４記載のビリヤードゲーム装置。
【請求項６】
前記表示装置がビリヤードテーブルオブジェクトを表示するようにされ、また、前記表示装置の画面上の手球オブジェクトに対するキューオブジェクトの撞き方向とその撞き方向から見たビリヤードテーブルオブジェクトとを変更して表示するキュー撞き方向変更手段が設けられたことを特徴とする請求項２記載のビリヤードゲーム装置。
【請求項７】
前記表示装置の画面上の手球オブジェクトに接近した拡大画面と該手球オブジェクトより離れた縮小画面とをそれぞれ選択可能な拡大・縮小選択手段が設けられたことを特徴とする請求項２記載のビリヤードゲーム装置。
【請求項８】
前記表示装置の画面上のビリヤードテーブルオブジェクトを略水平または水平に近い斜上方より見た状態からテーブル直上より鉛直下方へ見た状態に切り換える鉛直下方視角切り換え手段を備えたことを特徴とする請求項６または請求項７記載のビリヤードゲーム装置。
【発明の詳細な説明】
【技術分野】
【０００１】
本発明は、プレーヤが操作手段を操作し、表示装置に表示されたゲーム画面上の移動体オブジェクトを移動させて、ゲームを行なうビリヤードゲーム装置に関する。
【０００２】
この種のゲーム装置として、特許文献１の特開２０００−９３６５５号公報に記載のように、プレーヤがビリヤードテーブル上の手球オブジェクトを模擬キューで撞き、キューによって撞かれた手球オブジェクトをビリヤードテーブル上に転がらせて的球オブジェクトに当て、この的球オブジェクトをポケットに入れるビリヤードゲーム装置が知られている。
【０００３】
【特許文献１】特開２０００−９３６５５号公報
【発明の開示】
【発明が解決しようとする課題】
【０００４】
本物のビリヤードでは、プレーヤはキューを手球に向かって撞き出す前に、キューの先端を手球に接近させてから、後方に引き、その後再びキューを撞き出すようにしているが、前記公知のビリヤードゲーム装置では、このような操作を必要とせず、単に模擬キューを手球オブジェクトに向かって撞き出すようになっているため、本物のビリヤードとは、異なった感覚をプレーヤは持ち、プレーの迫真性が欠ける。また、プレーヤは模擬キューを撞き出す際に、模擬キューの方向を意のままに調節しているという感覚を持つことができないという課題があった。
【０００５】
本発明は、公知のビリヤードゲーム装置の上記欠点を解消し、改良されたビリヤードゲーム装置を得ることを目的とする。
【課題を解決するための手段】
【０００６】
上記目的を達成するため、請求項１記載の発明は、ゲーム画像を表示する表示装置と、プレーヤの操作を入力して操作信号とする操作手段と、前記操作信号に応じて三次元仮想空間内におけるビリヤードゲームを進行するビリヤードゲーム装置において、模擬キューを前後に移動自在に支持する模擬ブリッジが、模擬ビリヤードテーブル上で前後左右へ移動自在に設けられたことを特徴とするビリヤードゲーム装置である。
【０００７】
請求項２の発明は、請求項１記載のビリヤードゲーム装置において、前記模擬ビリヤードテーブル上の模擬ブリッジの前後左右移動量を検出する模擬ブリッジ移動量検出手段と、該模擬ブリッジ移動量検出手段の検出信号に対応して、前記表示装置の画面に表示されるキューオブジェクトの先端が、前記表示装置の画面に表示される手球オブジェクトに当接する位置を表示する手球撞き位置表示手段と、該手球オブジェクトの撞き位置に応じて該手球オブジェクトの移動方向を決定するとともに、撞き速度に応じてその移動速度を決定して表示する手球表示手段とを備えたことを特徴とする。
【０００８】
請求項３の発明は、請求項２記載のビリヤードゲーム装置において、前記表示装置の画面上に表示されたキューオブジェクトの撞き方向に位置した的球オブジェクトの周囲にて、該的球オブジェクトをポケットするために該手球オブジェクトを当てるべき位置を示すイマジナリ球オブジェクトが表示されることを特徴とする。
【０００９】
請求項４の発明は、請求項３記載のビリヤードゲーム装置において、前記的球オブジェクトに該手球オブジェクトを当てることでポケットできる場合に、該イマジナリ球オブジェクトが表示されることを特徴とする。
【００１０】
請求項５の発明は、請求項３または請求項４記載のビリヤードゲーム装置において、前記的球オブジェクトが最後の１つの場合には、前記イマジナリ球オブジェクトが表示されないことを特徴とする。
【００１１】
請求項６の発明は、請求項２記載のビリヤードゲーム装置において、前記表示装置がビリヤードテーブルオブジェクトを表示するようにされ、また、前記表示装置の画面上の手球オブジェクトに対するキューオブジェクトの撞き方向とその撞き方向から見たビリヤードテーブルオブジェクトとを変更して表示するキュー撞き方向変更手段が設けられたことを特徴とする。
【００１２】
請求項７の発明は、請求項２記載のビリヤードゲーム装置において、前記表示装置の画面上の手球オブジェクトに接近した拡大画面と該手球オブジェクトより離れた縮小画面とをそれぞれ選択可能な拡大・縮小選択手段が設けられたことを特徴とする。
【００１３】
請求項８の発明は、請求項６または請求項７記載のビリヤードゲーム装置において、前記表示装置の画面上のビリヤードテーブルオブジェクトを略水平または水平に近い斜上方より見た状態からテーブル直上より鉛直下方へ見た状態に切り換える鉛直下方視角切り換え手段を備えたことを特徴とする。
【発明の効果】
【００１４】
請求項１の発明によれば、プレーヤは模擬ブリッジを前後左右に移動させることによって、模擬キューの方向を意のままに調節しているという感覚を持つことができる。
【００１５】
請求項２の発明によれば、模擬ブリッジをプレーヤが適宜移動させ、表示装置の表示画面上のキューオブジェクトの先端を手球オブジェクトの撞き位置に適正に合せた場合には、プレーヤの考えたように表示画面上で手球オブジェクトを転がらせて、的球オブジェクトをポケットに入れることができ、プレーヤは高度なプレー感覚をもつことができる。
【００１６】
実際のビリヤードゲームでは、プレーヤは、手球を的球のどの部分に当てるかを、イマジナリ球の想定によって判断していたが、請求項３の発明によれば、表示画面上でイマジナリ球オブジェクトの中心に向かってキューオブジェクトを容易に撞くことができ、初心者でも、確実に表示画面上で的球オブジェクトをポケットに入れることができる。
【００１７】
請求項４の発明では、的球オブジェクトに手球オブジェクトを当てることでポケットできる場合に、イマジナリ球オブジェクトを表示して、ポケットに的球を入れることができる。
【００１８】
請求項５の発明では、的球オブジェクトが最後の１つに場合には、イマジナリ球オブジェクトを表示せず、プレーヤの技巧を必要とする状況が作られる。
【００１９】
請求項６の発明では、表示装置の表示画面上の手球オブジェクトに対しキューオブジェクトの撞き方向とこれに伴うビリヤードテーブルオブジェクトを見る角度とを自由に変更し、実際のビリヤードと同じようなプレー感覚をプレーヤに与えることができる。
【００２０】
請求項７の発明によれば、拡大画面と縮小画面を選択できることにより、ビリヤードプレーを繊細に行なうことができる。
【００２１】
請求項８の発明によれば、表示装置の表示画像上のビリヤードテーブルオブジェクトを略水平または水平に近い斜上方より見た状態からテーブル直上より鉛直下方へ見た状態に切り換えることができるので、表示画面上でビリヤードテーブルオブジェクト上の手球オブジェクトと的球オブジェクトの配置状態を平面的に正確に把握することができ、プレーの成功率を高めることができる。
【発明を実施するための最良の形態】
【００２２】
以下、図１ないし図３５に示される本発明の第１実施形態について説明する。
【００２３】
図１ないし図３に示されるように、ビリヤードゲーム装置１の筺体２は、左右一対の側板３と、前板４と、後板５と、頂板６と、図示されない底板とよりなり、図２ないし図５に図示されるように、両側板３の上下中央部手前側に模擬ビリヤードテーブル７が水平に張設され、該模擬ビリヤードテーブル７の両側縁面と手前縁面とに、弾性に富んだゴム製のキュー落下防止部材８が、該模擬ビリヤードテーブル７の上面より上方へ隆出して一体に装着され、該模擬ビリヤードテーブル７より上方に所要の間隔をなして表示装置９が配設され、該表示装置９の下面に保護木板10が張設されている。
【００２４】
また、図３ないし図４に示されるように、前記表示装置９の手前面直下から手前側に露出した模擬ビリヤードテーブル７のプレー面７ａの略中央に、上方へ盛り上がりかつ左右中央部が窪んだ形状の模擬ブリッジ11が配設されており、該模擬ブリッジ11は模擬ビリヤードテーブル７の上面に沿って前後左右に所定の範囲内で移動できるとともに、放置状態では自動的に中心位置に復帰できるようになっている。
【００２５】
さらに、図３に示されるように、模擬ビリヤードテーブル７のプレー面７ａにおいて、前記模擬ブリッジ11の左側でややこれよりも手前寄りに位置してキュー方向制御ボール12が配設されるとともに、該キュー方向制御ボール12よりも左右方向中央寄りでかつ手前寄りに位置してスタート・モード切換ボタンスイッチ13が配設され、また、前記キュー方向制御ボール12よりも奥側の左寄りに位置してトップ画面押ボタンスイッチ14が配設され、かつ該トップ画面押ボタンスイッチ14より左右方向中央寄りに位置して前後に拡大選択ボタンスイッチ15および縮小選択ボタンスイッチ16が配設されている。
【００２６】
さらにまた、図１に示されるように、前板４の手前面における右側に位置してメダル投入口17が配置されるとともに該メダル投入口17の下方に投入メダル数表示器18が配置されている。
【００２７】
しかも、図４に示されるように、前記模擬ブリッジ11のカバー20の左右中央凹部20ａ（図７ないし図１０）に遊嵌される程度の太さで実物のキューより短い長さの模擬キュー19が用意されており、該模擬キュー19が、２点鎖線で図示されるように、模擬ビリヤードテーブル７上に置かれた状態では、模擬ビリヤードテーブル７より上方へ盛り上がったキュー落下防止部材８により、模擬キュー19は塞き止められて、模擬ビリヤードテーブル７から下方へ落下できないようになっている。
【００２８】
前記模擬ブリッジ11は、図７に示されるように、模擬ビリヤードテーブル７上で該模擬ビリヤードテーブル７の上面に接したまま前後左右にカバー20を移動させるブリッジ水平スライドユニット21と、図２４および図２５に示されるように、該ブリッジ水平スライドユニット21の水平移動に連動して前後左右に傾動する揺動シャフト23を枢支してカバー20の前後左右移動量を検出するブリッジ位置検出ユニット22とよりなっている。そして、前記模擬ブリッジ11を最も手前に移動させた場合でも、模擬ブリッジ11上に模擬キュー19を載せるとともに模擬キュー19を模擬ビリヤードテーブル７のキュー落下防止部材８の上縁８ａ（ビリヤードテーブルのレール頂面に相当）に載せた状態で、模擬キュー19を前方へ撞き出した際に、模擬キュー19の先端１９ａが表示装置９の表示面９ａに衝突せず、保護木板10と模擬ブリッジ11との間のキュー進入空間49内に進入することができる寸法関係に、表示装置９および模擬ブリッジ11の大きさと、模擬ビリヤードテーブル７に対する模擬ブリッジ11および表示装置９の配置間隔と模擬ビリヤードテーブル７のキュー落下防止部材８の上縁８ａの高さとが設定されている。
【００２９】
図７ないし図２３を参照してブリッジ水平スライドユニット21の構造について説明する。なお、図７における矢印Ｆは前方を指している。
【００３０】
図７、図２６および図２７に示されるように、模擬ビリヤードテーブル７は、木板24と金属板25と合成樹脂板26とよりなり、木板24の上方に順次金属板25および合成樹脂板26が重ね合わされ、図５、図７、図１１および図１２に示されるように、模擬ビリヤードテーブル７の木板24の手前側左右中央部分に、対向する前後縁中央部に凹部24ｃを有する方形開口２４ａが形成されるとともに、該開口24ａの前後縁下面に切り欠き24ｂ（図11）が形成されており、これら切り欠き24ｂに下方からベースプレート27が嵌装されるようになっている。切り欠き24ｂと凹部24ｃの位置は図11に示すように対応している。
【００３１】
また、図１３に示されるように、模擬ビリヤードテーブル７より下方に配置されたベースプレート27の中心に円孔２７ａが形成されるとともに、該円孔２７ａを挟んで前後に前後溝２７ｂが形成され、図１５および図１６に示されるガイドプレート28が、図７において、前記ベースプレート27の前後溝２７ｂを上方から塞ぐように、該ベースプレート27の上面に前記ガイドプレート28が重ねられて一体に装着され、図１７および図１８に示される前後スライドプレート29の下面より下方へ突出した前後のガイドピン２９ａが、ガイドプレート28のガイド溝２８ａに前後へ移動可能に嵌合されており、これらガイドプレート28および前後スライドプレート29は木板24の前記開口２４ａ内に納められるようになっている。
【００３２】
さらに、模擬ビリヤードテーブル７より上方に配置されたカバー底板30は、図１９および図２０に示されるように、小判状に形成され、該カバー底板30の前後中央には、左右方向に指向した左右溝30ａが設けられ、図７において、２枚のガイドプレート28が該左右溝30ａの左右部分をそれぞれ塞ぐように、該ガイドプレート28は前記カバー底板30に重ねられて一体に装着されている。該ガイドプレート28のガイド溝28ａは、前記の前後スライドプレート29の上面から突出した左右のガイドピン29ｂに移動可能に嵌合されており、これによって、カバー底板30は上記の前後スライドプレート29に対して左右方向に移動可能となっている。
【００３３】
さらに、また、支持ブラケット31は、図２１に示されるように平面視でコ字状をなし、左右の脚部３１ａは、後部の連結部３１ｂで相互に一体に連結され、支持ブラケット31の左右脚部３１ａの下部折り曲げ部３１ｃが前記ガイドプレート28を跨いでカバー底板30の上面に一体に装着され、該支持ブラケット31における前後脚部３１ａの上部切り欠き３１ｄにキュー支持ローラ32の両端軸部３２ａが嵌合され、該左右脚部３１ａの上部の折り曲げ部３１ｅに押え板33が一体に装着され、前記キュー支持ローラ32の左端に切り欠き円板34が一体に嵌着され、左右脚部３１ａの左方の脚部３１ａには、発光素子と受光素子を備えたセンサー本体35が一体に取り付けられ、切り欠き円板34およびセンサー本体35でもってロータリエンコーダ36が構成されており、切り欠き円板34の回転量すなわちキュー支持ローラ32の回転角度がロータリエンコーダ36でもって検出されるようになっている。
【００３４】
次に、図２４および図２５に示されるブリッジ位置検出ユニット22を説明すると、ブリッジ位置検出ユニット22の外殻は、上方のベース37と、このベース37の下部に一体に装着されるベアリングカバー38とよりなり、該ベース37の下面左右前後に略半円筒状のベアリング受け凹部３７ａ、３７ｂと、中央部に円形開口３７ｃとが形成され、前記ベアリングカバー38の上面左右前後に略半円筒状のベアリング受け凹部３８ａ、３８ｂが形成されている。なお、図２４、図２５において、矢印Ｆは前方を指している。
【００３５】
また、ベース37およびベアリングカバー38を上下に重ねた左右ベアリング受け凹部３７ａ、３８ａにベアリング39を介して前後揺動部材40の軸部４０ａが前後へ揺動自在に枢支されるとともに、前後ベアリング受け凹部３７ｂ、３８ｂにベアリング39を介して左右揺動部材41の軸部41ａが左右へ揺動自在に枢支され、これら前後揺動部材40および左右揺動部材41は、この前後揺動部材40および左右揺動部材41とベース37およびベアリングカバー38とにその両端が結合されたコイルスプリング42のバネ力により、常に中立位置に復帰できるように付勢されている。
【００３６】
さらに、前記前後揺動部材40および左右揺動部材41の各軸部４０ａ、４１ａにはセグメントギア43がそれぞれ一体に嵌着され、該セグメントギア43に前後位置検出エンコーダ44、左右位置検出エンコーダ45のピニオン44ａ、45ａが噛み合うように、前後位置検出エンコーダ44および左右位置検出エンコーダ45がベアリングカバー38に装着されている。
【００３７】
さらにまた、前記揺動シャフト23の左右両側に一体に前後揺動軸46が装着され、該前後揺動軸46は前記左右揺動部材41の略前後中央部に前後へ揺動自在に枢支されており、揺動シャフト23の下部23ａは前記前後揺動部材40のガイド溝40ｂに摺動自在に嵌合されており、揺動シャフト23が前後に揺動すると、揺動シャフト23の下部23ａに係合している前後揺動部材40が揺動シャフト23の揺動に対応して前後に揺動し、その前後揺動角は前後位置検出エンコーダ44によって検出され、また揺動シャフト23が左右に揺動すると、該揺動シャフト23の揺動と一体となって左右揺動部材41が左右に揺動し、その左右揺動角は左右位置検出エンコーダ45によって検出されるようになっている。
【００３８】
また、ベース37の中央開口37ｃには、円板の揺動制限ストッパー47が装着され、揺動シャフト23の上端には、ユニバーサルジョイント部材48が揺動シャフト23の軸方向に沿って摺動自在に嵌着されるとともに、該ユニバーサルジョイント部材48は前記カバー底板30に一体に装着されている。
【００３９】
ビリヤードゲーム装置１の動作を制御するゲーム制御装置50は、筺体２に内蔵され、該ゲーム制御装置50は、図２８に示されるように、プログラムデータ記憶装置51と、ＣＰＵ52と、システムメモリ53と、BOOT ROM 54と、バスアビータ55と、レンダリングプロセッサ56と、グラフィックメモリ57と、サウンドプロセッサ58と、サウンドメモリ59とを備え、これらは、図２８のブロック図に図示されるように、バスでもって相互に接続されている。
【００４０】
プログラムデータ記憶装置51は、ナインボール、エイトボール等の複数のビリヤードゲームプログラムと、図３１ないし図３２に示されるフローチャートを実行するゲーム実行プログラムと、これらのビリヤードゲームを再現するための映像や音声等のデータが格納されており、該プログラムデータ記憶装置51はバスを介してバスアビータ55に接続されている。なお、プログラムデータ記憶装置51の代りに、光ディスクや光ディスクドライブ等よりなるプログラムデータ記憶媒体を用いてもよく、該プログラムデータ記憶媒体を用いた場合には、ゲーム制御装置50に出し入れ自在にこのプログラムデータ記憶媒体を装入でき、多種類のビリヤードゲームを実行することができる。
【００４１】
また、ＣＰＵ52は、ビリヤードゲームプログラムを実行し、全体システムを制御し、画像表示のための座標計算等を行ない、システムメモリ53には、該ＣＰＵ52が処理を行なうに必要なプログラムやデータが格納され、BOOT  ROM54には、ゲーム制御装置50を起動するときに必要なプログラムやデータが格納され、バスアビータ55はゲーム制御装置50の各ブロックや後記コントローラ63から出力されるプログラムやデータの流れを制御するようになっている。
【００４２】
さらに、レンダリングプロセッサ56は、プログラムデータ記憶装置51から読み出された映像データや、プレーヤの操作により出力された操作データや、ゲーム展開に応じて生成すべき画像データをディスプレイモニタ60に送信し、この生成すべき画像をこのディスプレイモニタ60に表示させるようになっている。なお、ディスプレイモニタ60は、前記表示装置９に対応するものである。そして、グラフィックメモリ57には、レンダリングプロセッサ56が画像生成を行なうに必要なグラフィックデータ等が格納されている。
【００４３】
さらにまた、サウンドプロセッサ58は、プログラムデータ記憶装置51から読み出された音声データや、プレーヤの操作により出力された操作データやゲーム展開に応じて生成すべき音声データをスピーカ61に送信し、この生成すべき音声をスピーカ61から発生させるようになっている。
【００４４】
また、ゲーム制御装置50には、図示されないモデムおよび電話回線を介して他のゲーム制御装置50やネットワークサーバと通信を行なうことができるようになっている。
【００４５】
さらに、ゲーム制御装置50には、ＣＰＵ52とバスアビータ55とが、ビリヤードゲームの途中経過の情報やモデムを通じて入出力されるプログラムデータを記録しておくバックアップメモリ62に接続されるとともに、コントローラ63が、バスアビータ55に接続されており、コントローラ63は、プレーヤによって操作されるメダル投入口17のメダル投入検出器、キュー方向制御ボール12、スタート・モード切換ボタンスイッチ13、トップ画面押ボタンスイッチ14、拡大選択ボタンスイッチ15、縮小選択ボタンスイッチ16、および模擬ブリッジ11のロータリエンコーダ36、前後位置検出エンコーダ44、左右位置検出エンコーダ45よりなり、該コントローラ63はこれら各検出器の制御信号をゲーム制御装置50に出力するようになっている。
【００４６】
しかして、ゲーム制御装置50では、図３１のフローチャートに示されるように、ビリヤードゲーム装置１に電源が接続されると（ステップＳ１）、ディスプレイモニタ60上に仮想三次元空間内においてビリヤードの画面が表示される（ステップＳ２）。ゲーム制御装置50では、下記に説明するような動作を行なうことができるようになっている。
【００４７】
まず、プレーヤがスタート・モード切換ボタンスイッチ13を押すと（ステップＳ３）、何種類かのビリヤードゲームが表示され（ステップＳ４）、続いて、プレーヤがそのいずれかのビリヤードゲームを選択すると（ステップＳ５）、選択されたビリヤードゲームの画面がディスプレイモニタ60に表示され、ディスプレイモニタ60の画面上では、多数の球オブジェクトの内、手前側に手球オブジェクトと、この手球オブジェクトにキュー延長方向が向いたキューオブジェクトとが表示されるとともに、的球オブジェクトと、前記手球オブジェクトをこの的球オブジェクトに当てた際に的球オブジェクトをポケットオブジェクトに入れることができるイマジナリボールオブジェクトとが表示される（ステップＳ６）。
【００４８】
さらに、プレーヤがキュー方向制御ボール12を左右に転がすと（ステップＳ７）、画面上のキュー延長線と手球オブジェクトが静止したまま、画面上のテーブルオブジェクトおよび該テーブルオブジェクト上の多数の球オブジェクトは、相互の位置関係が変らずに全体として左右に回転し、また、プレーヤがキュー方向制御ボール12を前後に転がすと、画面上の映像の俯瞰状態が高くまたは低くなる（ステップＳ８）。
【００４９】
さらにまた、プレーヤが拡大選択ボタンスイッチ15を押すと（ステップＳ９）、ディスプレイモニタ60の画面上の手球オブジェクトと的球オブジェクトの相互距離が短縮して、ディスプレイモニタ60の画面が拡大し（ステップＳ１０）、プレーヤが縮小選択ボタンスイッチ16を押すと（ステップＳ１１）、ディスプレイモニタ60の画面上の手球オブジェクトと的球オブジェクトの相互距離が拡大して、ディスプレイモニタ60の画面が縮小する（ステップＳ１２）。
【００５０】
そして、トップ画面押ボタンスイッチ14を押すと（ステップＳ１３）、ビリヤードテーブルを真上から見た画面となり、キューと手球と的球の平面的位置関係が明確に一定時間表示される（ステップＳ１４）。トップ画面押ボタンスイッチ14の操作でこの表示状態が出現した場合には、模擬キュー19を模擬ブリッジ11上で撞き操作しても、ディスプレイモニタ60の画面上では、キューが撞かれた状態とはならないようになっている。
【００５１】
また、プレーヤが模擬ブリッジ11を中立位置から左右に移動させると（ステップＳ１５）、ディスプレイモニタ60の画面上のキュー延長線が手球オブジェクトと交わる撞きポイントが左右に移動し、画面上においてキューで撞かれた手球オブジェクトの転がり経路が右方または左方へ彎曲するようになっている（ステップＳ１６）。
【００５２】
さらに、プレーヤが模擬ブリッジ11を中立位置から手前に移動させると（ステップＳ１７）、ディスプレイモニタ60の画面上の手球オブジェクトの撞きポイントが下方へ移動し、画面上においてキューで撞かれた手球オブジェクトが転がり方向と逆方向へ逆回転し、ドローショットが表示されるようになっている（ステップＳ１８）。
【００５３】
さらにまた、プレーヤが模擬ブリッジ11を中立位置から奥側に移動させると（ステップＳ１９）、ディスプレイモニタ60の画面上の手球オブジェクトの撞きポイントが上方へ移動し、画面上においてキューで撞かれた手球オブジェクトが直ちに前進方向へ回転し、フォローショットが表示されるようになっている（ステップＳ２０）。
【００５４】
そして、プレーヤが模擬キュー19を模擬ブリッジ11のキュー支持ローラ32上に載せてセットし、該模擬キュー19を引くと（ステップＳ２１）、ロータリエンコーダ36によりキュー支持ローラ32の逆方向回転角度が検出されて、キューと手球との距離が演算され（ステップＳ２２）、この距離が所定の距離以下、すなわちキュー引き量が所定値以下か否か判断され（ステップＳ２３）、このキュー引き量が所定値以下であれば、画面上のキューオブジェクトが半透明となり（ステップＳ２４）、ステップＳ２２に戻り、前記キュー引き量が所定値以上であれば、画面上のキューが半透明から不透明にはっきりと表示されるようになっている（ステップＳ２５）。
【００５５】
また、プレーヤが模擬キュー19を撞いて、キュー支持ローラ32を正回転させると（ステップＳ２６）、キューと手球との距離が演算され（ステップＳ２７）、キューが手球に当ったか否か判定され（ステップＳ２８）、手球に対するキュー先端撞き個所、キューの移動速度、移動距離、手球、的球、その他の球の配置位置等に基き、これらの球の転動状態が画面上に表示され（ステップＳ２９）、さらにこれらの球が静止した最終結果の画面が表示され（ステップＳ３０）、ゲームが終了したか否か判定され（ステップＳ３１）、終了したならばエンドとなり（ステップＳ３２）、ゲームが終了しなければ、ステップＳ７に戻るようになっている。
【００５６】
しかも、ロータリエンコーダ36により検出されたキュー支持ローラ32の回転速度に対応して、ディスプレイモニタ60すなわち表示装置９に表示される手球オブジェクトが速くまたは遅く前進するとともに、遠くまたは短い距離を移動するようになっている。
【００５７】
図１ないし図３５に示す第１実施形態では、前記模擬ブリッジ11を最も手前に移動させた場合でも、模擬ブリッジ11上に模擬キュー19を載せるとともに模擬キュー19を模擬ビリヤードテーブル７のキュー落下防止部材８の上縁８ａに載せた状態で、模擬キュー19を前方へ撞き出した際に、模擬キュー19の先端19ａが表示装置９の表示面９ａに衝突せず、保護木板10と模擬ブリッジ11との間のキュー進入空間49内に進入することができる寸法関係に、表示装置９および模擬ブリッジ11の大きさと、模擬ビリヤードテーブル７に対する模擬ブリッジ11および表示装置９の配置間隔と模擬ビリヤードテーブル７のキュー落下防止部材８の上縁８ａの高さとが設定されているため、プレーヤが模擬ブリッジ11をどのような位置に移動させて、模擬ブリッジ11に模擬キュー19をセットし、該模擬キュー19を前方へ撞いても、誤って模擬キュー19の先端19ａが表示装置９の表示面９ａに衝突することがなく、模擬キュー19の撞き操作による表示装置９の破壊が未然に防止される。
【００５８】
また、模擬ビリヤードテーブル７の外周に上方へ盛り上がった状態でキュー落下防止部材８が設けられているため、模擬キュー19がキュー落下防止部材８に塞ぎ止められて、模擬ビリヤードテーブル７より模擬キュー19の落下が阻止され、模擬キュー19の破損が未然に回避される。
【００５９】
さらに、プレーヤが模擬キュー19を模擬ブリッジ11上にセットし、所定距離だけ手前に引かないと、ディスプレイモニタ60の画面上でビリヤードゲームが実行されないので、実際にビリヤードをプレーするのと同じようなプレー感覚を持つことができる。
【００６０】
さらに、プレーヤがキュー方向制御ボール12を前後、左右に転がすことにより、実際にビリヤードをプレーしようとして、手球の前方延長線上に的球が位置するように、体を移動させ、フィンガーブリッジを組むと同じような状況の画面をディスプレイモニタ60すなわち表示装置９の表示面９ａ上に表示でき、実際に手球と的球とを結ぶ線上に体を動かしたと同様な感じをプレーヤに与えることができる。
【００６１】
具体的には、プレーヤがキュー方向制御ボール12を左方に回転した場合、表示装置９の表示面９ａ上に図３３に示すように表示された的球オブジェクト65，ポケットオブジェクト66およびテーブルオブジェクト69は、キューオブジェクト68の向きを変えないまま、手球オブジェクト64を中心として、図３４に示されるように、右方へ回転した画面に表示される。これは、的球オブジェクト65，ポケットオブジェクト66およびテーブルオブジェクト69が固定された場合には、プレーヤの向きとキューオブジェクト68の向きが左方へ旋回したことと同じことになる。
【００６２】
また、プレーヤがキュー方向制御ボール12を奥の方へ回転した場合、表示装置９の表示面９ａ上に図３３に示されるように表示された手球オブジェクト64，的球オブジェクト65，ポケットオブジェクト66，キューオブジェクト68およびテーブルオブジェクト69は左右へ回転することなく、図３５に示されるように、俯瞰状態を変えた（水平に近い視線状態から鉛直下方に近い視線状態）画面が表示される。
【００６３】
さらにまた、プレーヤは縮小選択ボタンスイッチ16を押すことにより、手球と的球とを遠くから離れて見たと同様な状況の画面を表示装置９の表示面９ａ上に表示でき、次に拡大選択ボタンスイッチ15を押すことにより、手球に接近したと同様な状況の画面を表示装置９の表示面９ａに表示でき、実際に手球に向かってキューを構えたと同様な感じをプレーヤに与えることができる。
【００６４】
そして、トップ画面押ボタンスイッチ14をプレーヤが押せば、模擬ビリヤードテーブル７の表示面９ａにはビリヤードテーブルを真上から見た画像が表示されるため、手球と的球の位置関係を正確にプレーヤは把握することができる。
【００６５】
また、模擬ブリッジ11のキュー支持ローラ32上に模擬キュー19がセットされ、模擬キュー19が所定距離手前へ引かれない状態では、表示装置９の表示面９ａ上のキューオブジェクトの先端部は半透明となるため、手球にキュー先端が接触する位置関係が明瞭に表示され、狙いが付け易い。
【００６６】
さらに、模擬ブリッジ11のキュー支持ローラ32上に模擬キュー19がセットされ、模擬キュー19が所定距離以上手前に引かれると、表示装置９の表示面９ａ上の半透明キュー先端部オブジェクトは、不透明となり、実際にビリヤードをプレーするのと同じような状況に切り換えられる。
【００６７】
さらにまた、キュー方向制御ボール12が適宜操作されて、表示装置９の表示画面９ａ上のキューオブジェクトの向きが適正であり、また、模擬ブリッジ11の前後左右位置が適正であって、表示装置９の表示面９ａ上の手球オブジェクトに対するキューオブジェクトの撞き位置が適正であり、しかも、模擬ブリッジ11のキュー支持ローラ32上にセットされた模擬キュー19の前進速度が適切であれば、これらのデータは全て、コントローラ63よりゲーム制御装置50に送信されて、ゲーム制御装置50内における映像データと共に計算され、手球が的球に衝突した後、的球がポケットに向かって転がり、該ポケットに的球が入るショット成功画像が、表示装置９の表示面９ａの仮想三次元空間内に表示される。
【００６８】
そして、キュー方向制御ボール12、模擬ブリッジ11および模擬キュー19の操作が適正でないと、的球がポケットに入らず、ショットが不成功に終った画像が、表示装置９の表示面９ａ上の仮想三次元空間内に表示される。
【００６９】
また、スタート・モード切換ボタンスイッチ13の選択操作により、初心者向けのゲームモードに選択された場合には、図２９、図３０に示されるように、表示装置９の表示面９ａ上には、手球オブジェクト64、的球オブジェクト65、ポケットオブジェクト66のほか、イマジナリ球オブジェクト67が表示されるため、手球と的球とポケットの位置関係で決定されるイマジナリ球を想定できないような初心者でも、表示装置９の表示面９ａ上に表示されるイマジナリ球オブジェクト67に向かって適正に手球オブジェクト64を進行させることができれば、ショットを成功させることができ、プレーヤの興趣を盛り上げることができる。
【００７０】
前記実施形態では、模擬キュー19を模擬ブリッジ11上で所定距離引いた結果、模擬キューの前方撞き操作によるディスプレイモニタ60の画面上のキューオブジェクト撞き動作が可能になった時、半透明のキューオブジェクトが不透明となるので、キューオブジェクト撞き動作が可能となったことをプレーヤはディスプレイモニタ60の画面で知ることができるが、このキューオブジェクト撞き動作可能を、ディスプレイモニタ60の画面に表示し、または音声でこれを知らせるようにしてもよい。
【００７１】
図１ないし図３５に示された第１実施形態では、キュー方向制御ボール12の左右方向および前後方向の回転操作でもって、表示装置９の表示画面９ａ上の手球オブジェクト64とキューオブジェクト68を手前側から奥に向けたまま、キューオブジェクト68の延長線上にある手球オブジェクト64を中心とし、テーブルオブジェクト69と該テーブルオブジェクト69上の的球オブジェクト64やその他の的球オブジェクト65を左右に回転し、またはこれらの表示画面９ａ上の各オブジェクト64，65，66，67，68，69の俯瞰状態を変えることができるようになっているため、プレー進行中、模擬キューのプレーヤ操作が適切でない結果、相手プレーヤが手球を的球に当てられなかった場合や、手球をポケットに入れてしまった場合（スクラッチ）に、手球オブジェクト64をテーブルオブジェクト69上の好きな個所に自由に設定することができなかった。
【００７２】
これを解消するために、模擬ビリヤードテーブル７上にキュー方向制御ボール12を設ける代りに、図３６に示すように、トラックボール70と視点移動ボタン71を設け、下記に説明の動作を行なわせる第２実施形態を構成してもよい。
【００７３】
すなわち、視点移動ボタン71を押さずに、トラックボール70のみを左方に回転操作した場合には、図３３に示された各種オブジェクト64，65，66，68，69の配置状態から、図３７に示されるように、表示画面９ａ上の手球オブジェクト64およびキューオブジェクト68は固定されたまま、的球オブジェクト65，ポケットオブジェクト66およびテーブルオブジェクト69は、トラックボール70の回転操作量に対応した距離だけ右方に手前方向（図面では下方）に移動するようになっている。
【００７４】
また、視点移動ボタン71を押さずに、トラックボール70のみを前方へ回転操作した場合には、図３３に示された各種オブジェクト64，65，66，68，69の配置状態から、図３８に示されるように、表示画面９ａ上の手球オブジェクト64およびキューオブジェクト68は固定されたまま、的球オブジェクト65，ポケットオブジェクト66およびテーブルオブジェクト69は、トラックボール70の回転操作量に対応した距離だけ手前方向に移動するようになっている。そして、トラックボール70の回転方向を斜にした場合には、その左右成分と前後成分のベクトル和の方向に的球オブジェクト65，ポケットオブジェクト66およびテーブルオブジェクト69を移動させることができるようになっている。
【００７５】
さらに、視点移動ボタン71を押しながら、トラックボール72を左右、前後に回転した場合には、図１ないし図３５に示される実施形態と同じように動作するようになっている。
【００７６】
したがって、図３６ないし図３８に示される実施形態では、図１ないし図３５に示される実施形態の動作の外に、的球オブジェクト65，テーブルオブジェクト69に対し、手球オブジェクト64およびキューオブジェクト68を表示画面９ａ上で移動することができる。
【００７７】
なお、前記図１ないし図３５に示される第１実施形態および図３６ないし図３８に示される第２実施形態において、キュー方向制御ボール12およびトラックボール70の回転方向と、表示画面９ａ上の的球オブジェクト65，ポケットオブジェクト66，イマジナリ球オブジェクト67およびテーブルオブジェクト69の移動方向とを逆にしてもよい。
【００７８】
そして図１ないし図３５の第１実施形態および図３６ないし図３８の第２実施形態では、模擬ビリヤードテーブル７上の模擬ブリッジ11にプレーヤによってセットされた模擬キュー19の向きとは無関係に、図３３ないし図３５および図３７ないし図３８に示されるように、表示装置９の表示画面９上のキューオブジェクト68は、常に手前側から奥側に向け表示画面９ａの下縁９ｃに対し直角奥方向に向くように表示されているため、実物のビリヤードと異なったプレーを行なう感覚が与えられていた。
【００７９】
これを改善するために、図３９ないし図４０に示すように、模擬キュー19の多数の水平方向検出センサー72および鉛直方向検出センサー73を、模擬ブリッジ11のキュー支持ローラ32の頂部を中心とした半径ｒの円弧上に沿い、模擬ビリヤードテーブル７および側板３にそれぞれ等間隔に配置し、模擬ブリッジ11の水平位置Ｘ，Ｙと、模擬キュー19を検出した水平方向検出センサー72の配置位置と、模擬キュー19を検出した鉛直方向検出センサー73の配置位置を基にして、ゲーム制御装置50にて、模擬ビリヤードテーブル７上の模擬キュー19の向きを算出し、これを表示画面９ａ上に表示させるように構成する。
【００８０】
また、キュー方向制御ボール12を回転操作すると、表示画面９ａ上で、手球オブジェクト68を中心としたテーブルオブジェクト69の向きが変り、すなわち、プレーヤがビリヤードのどの位置に接近したかを示す画像が表示されるように、画像形成装置を構成する。
【００８１】
さらに、模擬ブリッジ11の位置を前後、左右に変えると、表示画面９ａ上に表示されたブリッジオブジェクト（図示されず）をそれに対応して変更させるように、画像形成装置を構成する。
【００８２】
図３９ないし図４０に示された第３実施形態では、プレーヤが実物のビリヤードテーブルに近づき、ビリヤードテーブル上に左手でブリッジを組み、その上にキューを載せて、手球に向ってプレーを行なった同様な状況を表示画面上に表示することができる。
【図面の簡単な説明】
【００８３】
【図１】本発明の第１実施形態に係るビリヤードゲーム装置の正面図である。
【図２】上記ビリヤードゲーム装置の側面図である。
【図３】上記ビリヤードゲーム装置の平面図である。
【図４】上記ビリヤードゲーム装置のテーブル周辺の拡大断面図である。
【図５】上記ビリヤードゲーム装置のテーブル木板部の平面図である。
【図６】上記ビリヤードゲーム装置のテーブル木板部の側面図である。
【図７】模擬ブリッジと同ブリッジ水平スライドユニットの分解斜視図である。
【図８】模擬ブリッジのカバーの平面図である。
【図９】模擬ブリッジのカバーの正面から見た断面図である。
【図１０】模擬ブリッジのカバーの側面から見た断面図である。
【図１１】テーブル木板部の開口の平面図である。
【図１２】テーブル木板部の開口の断面図である。
【図１３】ベースプレートの平面図である。
【図１４】ベースプレートの側面図である。
【図１５】ガイドプレートの平面図である。
【図１６】ガイドプレートの正面図である。
【図１７】前後スライドプレートの平面図である。
【図１８】前後スライドプレートの正面図である。
【図１９】カバー底板の平面図である。
【図２０】カバー底板の正面図である。
【図２１】支持ブラケットの平面図である。
【図２２】支持ブラケットの正面図である。
【図２３】支持ブラケットの側面図である。
【図２４】ブリッジ位置検出ユニットの分解斜視図である。
【図２５】ブリッジ位置検出ユニットの揺動シャフト揺動機構の分解斜視図である。
【図２６】ブリッジ水平スライドユニットとブリッジ位置検出ユニットとを組み合わせた装置を正面から見た断面図である。
【図２７】ブリッジ水平スライドユニットとブリッジ位置検出ユニットとを組み合わせた装置を側面から見た断面図である。
【図２８】上記実施形態のビリヤードゲーム装置のシステムブロック図である。
【図２９】プレー中のビリヤードテーブルを斜めから見たモニター表示画面である。
【図３０】プレー中のビリヤードテーブルを上方から見たモニター表示画面である。
【図３１】第１実施形態のゲーム実行プログラムのフローチャート前半部である。
【図３２】図３１に示すフローチャート後半部である。
【図３３】表示装置の表示画面上に表示される各種オブジェクトの配置状態を図示した説明図である。
【図３４】キュー方向制御ボールを左右に回転した場合の表示装置の表示画面上に表示される各種オブジェクトの配置状態を図示した説明図である。
【図３５】キュー方向制御ボールを前後に回転した場合の表示装置の表示画面上に表示される各種オブジェクトの配置状態を示す説明図である。
【図３６】本発明の第２実施形態によるビリヤードゲーム装置の平面図である。
【図３７】トラックボールを左方に回転した場合の表示装置の表示画面上に表示される各種オブジェクトの配置状態を示す説明図である。
【図３８】トラックボールを前方に回転した場合の表示装置の表示画面上に表示される各種オブジェクトの配置状態を示す説明図である。
【図３９】本発明の第３実施形態による模擬ビリヤードテーブルの模擬ブリッジ付近の平面図である。
【図４０】第３実施形態の模擬ビリヤードテーブルの模擬ブリッジ付近の側面図である。
【符号の説明】
【００８４】
１…ビリヤードゲーム装置、２…筺体、３…側板、４…前板、５…後板、６…頂板、７…模擬ビリヤードテーブル、８…キュー落下防止部材、９…表示装置、10…保護木板、11…模擬ブリッジ、12…キュー方向制御ボール、13…スタート・モード切換ボタンスイッチ、14…トップ画面押ボタンスイッチ、15…拡大選択ボタンスイッチ、16…縮小選択ボタンスイッチ、17…メダル投入口、18…投入メダル数表示器、19…模擬キュー、20…カバー、21…ブリッジ水平スライドユニット、22…ブリッジ位置検出ユニット、23…揺動シャフト、24…木板、25…金属板、26…合成樹脂板、27…ベースプレート、28…ガイドプレート、29…前後スライドプレート、30…カバー底板、31…支持ブラケット、32…キュー支持ローラ、33…押え板、34…切り欠き円板、35…センサー本体、36…ロータリエンコーダ、37…ベース、38…ベアリングカバー、39…ベアリング、40…前後揺動部材、41…左右揺動部材、42…コイルスプリング、43…セグメントギア、44…前後位置検出エンコーダ、45…左右位置検出エンコーダ、46…前後揺動軸、47…揺動制限ストッパー、48…ユニバーサルジョイント部材、49…キュー進入空間、50…ゲーム制御装置、51…プログラムデータ記憶装置、52…ＣＰＵ、53…システムメモリ、54…BOOT  ROM、55…バスアビータ、56…レンダリングプロセッサ、57…グラフィックメモリ、58…サウンドプロセッサ、59…サウンドメモリ、60…ディスプレイモニタ、61…スピーカ、62…バックアップメモリ、63…コントローラ、64…手球オブジェクト、65…的球オブジェクト、66…ポケット、67…イマジナリ球オブジェクト。
【図１】
2005205235.tif 000003
【図２】
2005205235.tif 000004
【図３】
2005205235.tif 000005
【図４】
2005205235.tif 000006
【図５】
2005205235.tif 000007
【図６】
2005205235.tif 000008
【図７】
2005205235.tif 000009
【図８】
2005205235.tif 000010
【図９】
2005205235.tif 000011
【図１０】
2005205235.tif 000012
【図１１】
2005205235.tif 000013
【図１２】
2005205235.tif 000014
【図１３】
2005205235.tif 000015
【図１４】
2005205235.tif 000016
【図１５】
2005205235.tif 000017
【図１６】
2005205235.tif 000018
【図１７】
2005205235.tif 000019
【図１８】
2005205235.tif 000020
【図１９】
2005205235.tif 000021
【図２０】
2005205235.tif 000022
【図２１】
2005205235.tif 000023
【図２２】
2005205235.tif 000024
【図２３】
2005205235.tif 000025
【図２４】
2005205235.tif 000026
【図２５】
2005205235.tif 000027
【図２６】
2005205235.tif 000028
【図２７】
2005205235.tif 000029
【図２８】
2005205235.tif 000030
【図２９】
2005205235.tif 000031
【図３０】
2005205235.tif 000032
【図３１】
2005205235.tif 000033
【図３２】
2005205235.tif 000034
【図３３】
2005205235.tif 000035
【図３４】
2005205235.tif 000036
【図３５】
2005205235.tif 000037
【図３６】
2005205235.tif 000038
【図３７】
2005205235.tif 000039
【図３８】
2005205235.tif 000040
【図３９】
2005205235.tif 000041
【図４０】
2005205235.tif 000042